(57)【要約】      （修正有）【課題】荷揚げ中の荷の振れ止めを容易化する。【解決手段】簡易クレーン４０をビティ仮設足場３０の上部の建枠部材に装着し、ブラケットの前部に懸吊された荷吊りホイスト４７からワイヤロープ８１を垂下し、吊りフック８２に荷揚げ資材１４を玉掛けする。ブラケットの上枠４５に装着した前方延設部４８の前端部のガイドロープ取り付け金具５１に上端を掛装したガイドロープ５２を地上まで垂らし、吊りフック８２に支持させたガイドロープ用滑車８４を通す。荷上げ中、地上の作業員Ａがガイドロープ５２を引っ張ると、ガイドロープ用滑車８４と吊りフック８２を介して荷揚げ資材１４がガイドロープ５２寄りに引っ張られる。荷が高くなると、ガイドロープ用滑車８４の上側のガイドロープ５２が吊りフック８２を比較的大きな力で前方へ引っ張るようになるので、作業員Ａがガイドロープ５２を強く引っ張らなくても吊り荷の振れが抑制される。【選択図】図３
2017226541.tif 000002
【特許請求の範囲】
【請求項１】
仮設足場の構造物に着脱自在に装着可能な基部部材と、
基部部材に水平面内で旋回自在に軸支されたブラケットと、
ブラケットの前部に設けられた荷吊り用ホイスト取り付け部と、
ブラケットに設けられた前方延設部と、
前方延設部の前端部に設けられたガイドロープ取り付け部と、
を備え、
荷吊り用ホイスト取り付け部に取り付けた荷吊り用ホイストから吊りフック付のワイヤロープを垂下し、吊りフックに荷揚げ資材を玉掛けするとともに、
ガイドロープ取り付け部に上端部を取り付けたガイドロープを地上近くまで垂らし、このガイドロープに吊りフックまたは玉掛けワイヤまたは荷揚げ資材に支持させた滑車を通し、
ガイドロープの下端部を地上の作業員が引っ張るかまたは張った状態で地上近くに固定することにより、荷揚げ資材がガイドロープ寄りに引っ張られるようにしたこと、
を特徴とする簡易クレーン。
【請求項２】
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴とする請求項１記載の簡易クレーン。
【請求項３】
ブラケットの前部に、荷吊り用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴とする請求項１記載の簡易クレーン。
【請求項４】
前方延設部の前端部に、ガイドロープ取り付け部に代えてガイドロープ用ホイスト取り付け部を設け、このガイドロープ用ホイスト取り付け部に取り付けたガイドロープ用ホイストからガイドロープを垂らすようにしたこと、
を特徴とする請求項１乃至３の内のいずれか一項記載の簡易クレーン。
【請求項５】
仮設足場の構造物に着脱自在に装着可能な基部部材と、
基部部材に水平面内で旋回自在に軸支されたブラケットと、
ブラケットの前部に設けられた荷吊り用ホイスト取り付け部と、
ブラケットに設けられた前方延設部と、
前方延設部の前端部に設けられた前側ガイドロープ用シーブと、
ブラケットの後端部の上側に設けられた後側ガイドロープ用滑車取り付け部と、
を備え、
荷吊り用ホイスト取り付け部に取り付けた荷吊り用ホイストから吊りフック付のワイヤロープを垂下し、吊りフックに荷揚げ資材を玉掛けするとともに、
ガイドロープの一端側を仮設足場に止め、ガイドロープの他端側を後側ガイドロープ用滑車取り付け部に取り付けた後側ガイドロープ用滑車と前側ガイドロープ用シーブに巻き掛けたのち、地上近くまで垂らし、ガイドロープに吊りフックまたは玉掛けワイヤまたは荷揚げ資材に支持させた滑車を通し、
ガイドロープの下端部を地上近くに固定するとともに、仮設足場の上の作業員がガイドロープの一端側を引っ張ることにより、荷揚げ資材がガイドロープ寄りに引っ張られるようにしたこと、
を特徴とする簡易クレーン。
【請求項６】
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴とする請求項５記載の簡易クレーン。
【請求項７】
ブラケットの前部に、荷吊り用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴とする請求項５記載の簡易クレーン。
【請求項８】
前方延設部の前端部に、前側ガイドロープ用シーブに代えて前側ガイドロープ用滑車取り付け部を設け、一端側を仮設足場に止めたガイドロープの他端側を後側ガイドロープ用滑車取り付け部に取り付けた後側ガイドロープ用滑車と前側ガイドロープ用滑車取り付け部に取り付けた後側ガイドロープ用滑車に巻き掛けたのち、地上近くまで垂らすようにしたこと、
を特徴とする請求項５乃至７の内のいずれか一項記載の簡易クレーン。
を特徴とする
【請求項９】
仮設足場の構造物に着脱自在に装着可能な基部部材と、基部部材に水平面内で旋回自在に軸支されたブラケットと、ブラケットの前部に設けられた荷吊り用ホイスト取り付け部とを備えた簡易クレーンの内、ブラケットに設けた前方延設部の前端部にガイドロープ取り付け部を設けておき、
荷吊り用ホイスト取り付け部に取り付けた荷吊り用ホイストから先端に吊りフック付のワイヤロープを垂下し、吊りフックに吊り荷を玉掛けするとともに、
ガイドロープ取り付け部に上端を取り付けたガイドロープを地上近くまで垂らし、ガイドロープに吊りフックまたは玉掛けワイヤまたは荷揚げ資材に支持させた滑車を通し、
荷揚げ中、ガイドロープの下端部を地上の作業員が引っ張るかまたは張った状態で地上近くに固定することにより、荷揚げ資材がガイドロープ寄りに引っ張られるようにしたこと、
を特徴とする簡易クレーンによる吊り荷の振れ止め方法。
【請求項１０】
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴とする請求項９記載の簡易クレーンによる吊り荷の振れ止め方法。
【請求項１１】
ブラケットの前部に、荷揚げ用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴とする請求項９記載の簡易クレーンによる吊り荷の振れ止め方法。
【請求項１２】
前方延設部の前端部に、ガイドロープ取り付け部に代えてガイドロープ用ホイスト取り付け部を設け、このガイドロープ用ホイスト取り付け部に取り付けたガイドロープ用ホイストからガイドロープを垂らすようにしたこと、
を特徴とする請求項９乃至１１の内のいずれか一項記載の簡易クレーンによる吊り荷の振れ止め方法。
【請求項１３】
仮設足場の構造物に着脱自在に装着可能な基部部材と、基部部材に水平面内で旋回自在に軸支されたブラケットと、ブラケットの前部に設けられた荷吊り用ホイスト取り付け部とを備えた簡易クレーンの内、ブラケットに設けた前方延設部の前端部に前側ガイドロープ用シーブを設けるとともに、ブラケットの後端部の上側に後側ガイドロープ用滑車取り付け部を設けておき、
荷吊り用ホイスト取り付け部に取り付けた荷吊り用ホイストから吊りフック付のワイヤロープを垂下し、吊りフックに吊り荷を玉掛けするとともに、
一端側を仮設足場に止めたガイドロープの他端側を、後側ガイドロープ用滑車取り付け部に取り付けた後側ガイドロープ用滑車と前側ガイドロープ用シーブに巻き掛けたのち、地上近くまで垂らし、ガイドロープに吊りフックまたは玉掛けワイヤまたは荷揚げ資材に支持させた滑車を掛装し、
荷揚げ中、ガイドロープの下端側を地上近くに固定し、上端側を仮設足場の上の作業員が引っ張ることにより、荷揚げ資材がガイドロープ寄りに引っ張られるようにしたこと、
を特徴とする簡易クレーンによる吊り荷の振れ止め方法。
【請求項１４】
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴とする請求項９記載の簡易クレーンによる吊り荷の振れ止め方法。
【請求項１５】
ブラケットの前部に、荷揚げ用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴とする請求項９記載の簡易クレーンによる吊り荷の振れ止め方法。
【請求項１６】
前方延設部の前端部に、前側ガイドロープ用シーブに代えて前側ガイドロープ用滑車取り付け部を設け、一端側を仮設足場に止めたガイドロープの他端側を、後側ガイドロープ用滑車取り付け部に取り付けた後側ガイドロープ用滑車と前側ガイドロープ用滑車取り付け部に取り付けた前側ガイドロープ用滑車に巻き掛けたのち、地上近くまで垂らすようにしたこと、
を特徴とする請求項１３乃至１５の内のいずれか一項記載の簡易クレーンによる吊り荷の振れ止め方法。
【発明の詳細な説明】
【技術分野】
【０００１】
本発明は、簡易クレーン、簡易クレーンによる吊り荷の振れ止め方法に係り、とくに、マンション、ビル等の建築物の新築・改修工事現場等の仮設足場に設置する簡易クレーン、簡易クレーンによる吊り荷の振れ止め方法に関する。
【０００２】
マンション、ビル等で新築・改修工事現場等では、外壁仕上げ、外壁補修等のための仮設足場の組み上げ、建築物内への資材の搬入のため、仮設足場に簡易クレーンを設置し、地上から仮設足場の上の段に仮設足場の資材、建築物の資材を吊り上げ、足場内に取り込むようにしている。
図１に建築物の改修工事現場で用いられる従来の簡易クレーンの設置例を示す。仮設足場１の上段の縦枠部材２の前側の縦枠２Ａに、複数のクランプ３を用いて基部支柱４が着脱自在に締結されており、この基部支柱４に前方へ延設されたブラケット５が装着されている。ブラケット５の前端にはホイスト取り付け部６を介してホイスト７が懸吊されている。ホイスト７から巻き出されたワイヤロープ８の下端に装着された吊りフック９には玉掛けワイヤ１０と介錯ロープ１１が掛装されている。地上の作業員Ａはリモコン１２によりホイスト７からワイヤロープ８を巻き出させて玉掛けワイヤ１０を地上近くに下ろし、吊り荷としての足場資材１４に玉掛けする。そして、リモコン１２によりホイスト７を稼働しワイヤロープ８を巻き取らせ、地上から仮設足場１の上の段のステージの高さに荷揚げし、ホイスト７を止める。仮設足場１の上の段のステージの作業員Ｂは荷揚げされた足場資材１４を足場内に取り込む。荷揚げ中、地上の作業員Ａは介錯ロープ１１を操作して吊り荷の振れを抑える。
【０００３】
ここで、図２に示す如く、吊りフック９を水平方向前方へ引っ張る力をｆとすると、ｆが振れ止めの制御力となる。介錯ロープ１１の重量を無視し、作業員Ａが介錯ロープ１１を引っ張る力をＦ、介錯ロープ１１と垂線のなす角度をθとすると、
ｆ＝Ｆ・ｓｉｎθ
である。
吊り荷の揚程が高い場合、図２（１）に示す如く、吊り荷としての足場資材１４が地上近くにあるときは、作業員Ａが前方へ移動することでθを容易に大きくでき、介錯ロープ１１を強く引っ張らなくても振れ止め制御が可能であるが、荷揚げ資材１４が高く上がるとθが小さくなり、振れ止め制御が困難になる欠点があった。
【先行技術文献】
【特許文献】
【０００４】
【特許文献１】実用新案登録第３０２３６８３号公報
【発明の概要】
【発明が解決しようとする課題】
【０００５】
本発明は上記した従来技術の問題に鑑みなされたもので、吊り荷が高く上がったときの振れ止めを容易に行える簡易クレーン、簡易クレーンによる吊り荷の振れ止め方法を提供することを、その目的とする。
【課題を解決するための手段】
【０００６】
請求項１記載の発明では、
仮設足場の構造物に着脱自在に装着可能な基部部材と、
基部部材に水平面内で旋回自在に軸支されたブラケットと、
ブラケットの前部に設けられた荷吊り用ホイスト取り付け部と、
ブラケットに設けられた前方延設部と、
前方延設部の前端部に設けられたガイドロープ取り付け部と、
を備え、
荷吊り用ホイスト取り付け部に取り付けた荷吊り用ホイストから吊りフック付のワイヤロープを垂下し、吊りフックに荷揚げ資材を玉掛けするとともに、
ガイドロープ取り付け部に上端部を取り付けたガイドロープを地上近くまで垂らし、このガイドロープに吊りフックまたは玉掛けワイヤまたは荷揚げ資材に支持させた滑車を通し、
ガイドロープの下端部を地上の作業員が引っ張るかまたは張った状態で地上近くに固定することにより、荷揚げ資材がガイドロープ寄りに引っ張られるようにしたこと、
を特徴としている。
請求項２記載の発明では、
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴としている。
請求項３記載の発明では、
ブラケットの前部に、荷吊り用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴としている。
請求項４記載の発明では、
前方延設部の前端部に、ガイドロープ取り付け部に代えてガイドロープ用ホイスト取り付け部を設け、このガイドロープ用ホイスト取り付け部に取り付けたガイドロープ用ホイストからガイドロープを垂らすようにしたこと、
を特徴としている。
請求項５記載の発明では、
仮設足場の構造物に着脱自在に装着可能な基部部材と、
基部部材に水平面内で旋回自在に軸支されたブラケットと、
ブラケットの前部に設けられた荷吊り用ホイスト取り付け部と、
ブラケットに設けられた前方延設部と、
前方延設部の前端部に設けられた前側ガイドロープ用シーブと、
ブラケットの後端部の上側に設けられた後側ガイドロープ用滑車取り付け部と、
を備え、
荷吊り用ホイスト取り付け部に取り付けた荷吊り用ホイストから吊りフック付のワイヤロープを垂下し、吊りフックに荷揚げ資材を玉掛けするとともに、
ガイドロープの一端側を仮設足場に止め、ガイドロープの他端側を後側ガイドロープ用滑車取り付け部に取り付けた後側ガイドロープ用滑車と前側ガイドロープ用シーブに巻き掛けたのち、地上近くまで垂らし、ガイドロープに吊りフックまたは玉掛けワイヤまたは荷揚げ資材に支持させた滑車を通し、
ガイドロープの下端部を地上近くに固定するとともに、仮設足場の上の作業員がガイドロープの一端側を引っ張ることにより、荷揚げ資材がガイドロープ寄りに引っ張られるようにしたこと、
を特徴としている。
請求項６記載の発明では、
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴としている。
請求項７記載の発明では、
ブラケットの前部に、荷吊り用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴としている。
請求項８記載の発明では、
前方延設部の前端部に、前側ガイドロープ用シーブに代えて前側ガイドロープ用滑車取り付け部を設け、一端側を仮設足場に止めたガイドロープの他端側を後側ガイドロープ用滑車取り付け部に取り付けた後側ガイドロープ用滑車と前側ガイドロープ用滑車取り付け部に取り付けた後側ガイドロープ用滑車に巻き掛けたのち、地上近くまで垂らすようにしたこと、
を特徴としている。
請求項９記載の発明では、
仮設足場の構造物に着脱自在に装着可能な基部部材と、基部部材に水平面内で旋回自在に軸支されたブラケットと、ブラケットの前部に設けられた荷吊り用ホイスト取り付け部とを備えた簡易クレーンの内、ブラケットに設けた前方延設部の前端部にガイドロープ取り付け部を設けておき、
荷吊り用ホイスト取り付け部に取り付けた荷吊り用ホイストから先端に吊りフック付のワイヤロープを垂下し、吊りフックに吊り荷を玉掛けするとともに、
ガイドロープ取り付け部に上端を取り付けたガイドロープを地上近くまで垂らし、ガイドロープに吊りフックまたは玉掛けワイヤまたは荷揚げ資材に支持させた滑車を通し、
荷揚げ中、ガイドロープの下端部を地上の作業員が引っ張るかまたは張った状態で地上近くに固定することにより、荷揚げ資材がガイドロープ寄りに引っ張られるようにしたこと、
を特徴としている。
請求項１０記載の発明では、
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴としている。
請求項１１記載の発明では、
ブラケットの前部に、荷揚げ用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴としている。
請求項１２記載の発明では、
前方延設部の前端部に、ガイドロープ取り付け部に代えてガイドロープ用ホイスト取り付け部を設け、このガイドロープ用ホイスト取り付け部に取り付けたガイドロープ用ホイストからガイドロープを垂らすようにしたこと、
を特徴としている。
請求項１３記載の発明では、
仮設足場の構造物に着脱自在に装着可能な基部部材と、基部部材に水平面内で旋回自在に軸支されたブラケットと、ブラケットの前部に設けられた荷吊り用ホイスト取り付け部とを備えた簡易クレーンの内、ブラケットに設けた前方延設部の前端部に前側ガイドロープ用シーブを設けるとともに、ブラケットの後端部の上側に後側ガイドロープ用滑車取り付け部を設けておき、
荷吊り用ホイスト取り付け部に取り付けた荷吊り用ホイストから吊りフック付のワイヤロープを垂下し、吊りフックに吊り荷を玉掛けするとともに、
一端側を仮設足場に止めたガイドロープの他端側を、後側ガイドロープ用滑車取り付け部に取り付けた後側ガイドロープ用滑車と前側ガイドロープ用シーブに巻き掛けたのち、地上近くまで垂らし、ガイドロープに吊りフックまたは玉掛けワイヤまたは荷揚げ資材に支持させた滑車を掛装し、
荷揚げ中、ガイドロープの下端側を地上近くに固定し、上端側を仮設足場の上の作業員が引っ張ることにより、荷揚げ資材がガイドロープ寄りに引っ張られるようにしたこと、
を特徴としている。
請求項１４記載の発明では、
ブラケットの前部に、荷吊り用ホイスト取り付け部に代えて荷吊り用滑車取り付け部を設け、
荷吊り用滑車取り付け部に取り付けた荷吊り用滑車に荷吊り用ウインチから巻き出した吊りフック付のワイヤロープを巻き掛けて垂下し、吊りフックに荷揚げ資材を玉掛けするようにしたこと、
を特徴としている。
請求項１５記載の発明では、
ブラケットの前部に、荷揚げ用ホイスト取り付け部に代えて荷吊り用シーブを設け、
荷吊り用シーブに荷吊り用ウインチから巻き出した吊りフック付のワイヤロープを巻き掛けて垂下し、吊りフックに荷揚げ資材を玉掛けするようにしたこと、
を特徴としている。
請求項１６記載の発明では、
前方延設部の前端部に、前側ガイドロープ用シーブに代えて前側ガイドロープ用滑車取り付け部を設け、一端側を仮設足場に止めたガイドロープの他端側を、後側ガイドロープ用滑車取り付け部に取り付けた後側ガイドロープ用滑車と前側ガイドロープ用滑車取り付け部に取り付けた前側ガイドロープ用滑車に巻き掛けたのち、地上近くまで垂らすようにしたこと、
を特徴としている。
【発明の効果】
【０００７】
本発明によれば、ブラケットに設けた前方延設部の前端部から地上近くまでガイドロープを垂らすとともに、ブラケット前部から垂下した荷揚げ用ワイヤロープ先端の吊りフックまたは玉掛けワイヤまたは吊り荷に支持させた滑車にガイドロープを通し、ガイドロープを作業員が引っ張ったり、張った状態で固定したりして、荷揚げ中の荷揚げ資材を滑車を介してガイドロープ寄りに引っ張ることができるようにしたので、高い位置に吊り上げたときの荷の振れ止めが容易となる。
【図面の簡単な説明】
【０００８】
【図１】従来の簡易クレーンの使用状態を示す斜視図である。
【図２】従来の介錯ロープを用いた荷の振れ止め法の問題点の説明図である。
【図３】本発明の第１実施例に係る簡易クレーンの使用状態を示す一部省略した斜視図である（実施例１）。
【図４】図３中の簡易クレーンの組み立て図である。
【図５】図３中のガイドロープの作用説明図である。
【図６】図３中の簡易クレーンの使用方法の説明図である。
【図７】第１実施例の変形例に係る簡易クレーンの使用状態を示す説明図である。
【図８】本発明の第２実施例に係る簡易クレーンの使用状態を示す一部省略した斜視図である（実施例２）。
【図９】図８中の簡易クレーンの組み立て方法の説明図である。
【図１０】図８中のガイドロープの作用説明図である。
【図１１】図８中の簡易クレーンの使用方法の説明図である。
【図１２】第２実施例の変形例に係る簡易クレーンの要部の説明図である。
【発明を実施するための最良の形態】
【０００９】
以下、本発明の最良の形態を実施例に基づき説明する。
【実施例１】
【００１０】
図３乃至図６を参照して本発明の第１実施例を説明する。図３は本発明に係る簡易クレーンの使用状態を示す斜視図、図４は簡易クレーンの組み立て図、図５はガイドロープの作用説明図、図６は簡易クレーンの使用方法の説明図である。
図３乃至図６において、３０はビティ仮設足場、３１はビティ仮設足場３０の最上部の建枠部材（ビティ仮設足場の構造物）、４０は建枠部材３１の前側の縦枠３１Ａの上部に設置された簡易クレーン、１４は簡易クレーン４０により地上からビティ仮設足場３０の最上部の一段下のステージに荷揚げされる荷揚げ資材（足場部材) である。
【００１１】
簡易クレーン４０の内、４１は基部部材としての角パイプ材からなる基部支柱であり、３つの締結金具（クランプ）４２により建枠部材３１の縦枠３１Ａの上部に鉛直向き、かつ着脱自在に締結されている。締結金具４２は基部支柱４１に予め固着していてもよく、或いは、現場で基部支柱４１に着脱自在に装着しても良い。４３は三角枠形のブラケットであり、基部支柱４１に対して、上下３箇所の支軸４４により水平面内で前方を基準にして左右に各々９０乃至１２０度ずつ旋回可能に装着されている。ブラケット４３の上枠４５の前端には荷吊り用ホイスト取り付け部としてのＵ字状の荷吊り用ホイスト取り付け金具４６が固着されおり、この荷吊り用ホイスト取り付け金具４６に荷吊り用ホイスト４７が掛脱自在に懸吊されている。図４に示す如く、ブラケット４３の上枠４５の前端部には前方に延設された角パイプ材からなる前方延設部４８が着脱自在に装着されている。即ち、前方延設部４８の前後２個所の両側に２組の固定金具４９と４９、５０と５０の上端部がボルト止めされており、固定金具４９と４９、５０と５０の下端部間が上枠４５を跨いでボルト止めされている。前方延設部４８の前端にはガイドロープ取り付け部としてのＵ字状のガイドロープ取り付け金具５１が固着されおり、このガイドロープ取り付け金具５１にガイドロープ５２の一端側が取り付けられたフック５３が掛装されている。
【００１２】
図３と図６は上記した簡易クレーンによる資材荷揚げ方法の説明図、図５はガイドロープの作用説明図であり、以下、これらの図を参照して上記した実施例の作用を説明する。
図３に示す如く、予めビティ仮設足場３０の最上部の前側の縦枠３１Ａの上端近くに簡易クレーン４０がクランプ４１により締結済みであるとする。ガイドロープ取り付け金具５１にはフック５３が懸吊してあり、このフック５３に一端が取り付けられたガイドロープ５２の他端側が地上まで垂れ下げられている。荷吊り用ホイスト取り付け金具４６には荷吊り用ホイスト４７が懸吊してある。荷吊り用ホイスト４７から巻き出されたワイヤロープ８１の先端に吊りフック８２が取り付けてある。簡易クレーン４０のブラケット４３は左右に各々９０乃至１２０度の範囲で旋回可能としてある。
【００１３】
地上に玉掛け、荷吊り用ホイスト４７の操作、ガイドロープ５２の介錯をする作業員Ａ、ビティ仮設足場３０の最上部より一段下の足場上に荷揚げ資材１４の引き込みを行う作業員Ｂが配置されているものとする。
図３に示す如く、簡易クレーン４０が前方向きの状態で、作業員Ａはリモコン９０を操作し、荷吊り用ホイスト４７を稼働させてワイヤロープ８１を垂下し、吊りフック８２を地上近くまで下げる。作業員Ａはガイドロープ５２をガイドロープ用滑車８４に通すとともに、ガイドロープ用滑車８４のステー８５を吊りフック８２に掛装して支持させる。また、荷揚げ資材１４に玉掛けワイヤ８３で玉掛けし、吊りフック８２に取り付けたシャックル８６に玉掛けワイヤ８３を取り付ける（図６参照）。
【００１４】
作業員Ａがリモコン９０の操作で荷吊り用ホイスト４７を吊りフック上昇側に回転させ、ワイヤロープ８１を巻き上げて荷揚げ資材１４を上昇させる。この際、作業員Ａはガイドロープ５２をガイドロープ取り付け金具５１の真下より少し斜め前方向へ引っ張って荷揚げ資材１４の揺れを制御する。作業員Ａがガイドロープ５２を引っ張ると、ガイドロープ用滑車８４と吊りフック８２を介して荷揚げ資材１４がガイドロープ５２寄りに引っ張られる。
【００１５】
ここで、図５に示す如く、ガイドロープ５２の上端のフック５３をａ点、ガイドロープ用滑車８４をｂ点、地上の作業員Ａがガイドロープ５２を把持した個所をｃ点とし、三角形ａｂｃの点ｂから辺ａｃに下ろした垂線と辺ａｃとの交点をｄとすると、ガイドロープ用滑車８４から下側のガイドロープ５２がガイドロープ用滑８４に加えるｂｄ方向の力の成分ｆ１と、ガイドロープ用滑車８４から上側のガイドロープ５２がガイドロープ用滑車８４に加えるｂｄ方向の力の成分ｆ２の和が吊り荷に対する凡その振れ止め制御力となる。ガイドロープ５２の重量を無視し地上の作業員Ａがガイドロープ５２に加える引っ張り力をＦ、角度ｂｃｄをθ１、角度ｂａｄをθ２とすると、
ｆ１＝Ｆ・ｓｉｎθ１、ｆ２＝Ｆ・ｓｉｎθ２
である。
吊り荷の揚程が高い場合、図５（１）に示す如く、荷揚げ資材１４が地上近くにあるときは、作業員Ａが前方へ移動することでθ１を容易に大きくでき、ガイドロープ５２を強く引っ張らなくても振れ止め制御が可能である。また、荷揚げ資材１４が高く上がったときは図５（２）に示す如く、θ２が比較的大きくなり、ガイドロープ用滑車８４の上側のガイドロープ５２が吊りフック８２を比較的大きな力で前方へ引っ張るようになるので、作業員Ａがガイドロープ５２を強く引っ張らなくても吊り荷の振れが抑制される。
この点、従来の吊りフックに付けた介錯ロープで振れ止めを行う方法では、荷揚げ資材が高くなるほど振れ止めが困難となり、また、荷揚げ資材が低い位置では余った介錯ロープ同士が絡んだり、荷揚げ資材やビティ仮設足場の下部に絡んで、荷揚げ作業を中断しなければならない欠点があった。
【００１６】
荷揚げ資材１４がビティ仮設足場３０の最上部の一段下まで上がったところで、作業員Ａは荷吊り用ホイスト４７を停止し、ガイドロープ５２を緩める。そして、作業員Ｂが荷揚げ資材１４をブラケット４３とともに旋回させながら荷揚げ資材１４をビティ仮設足場３０の最上部より一段下に取り込む（図６参照）。
【００１７】
この実施例によれば、ブラケット４３に設けた前方延設部４８の前端部から地上近くまでガイドロープ５２を垂らし、ブラケット４３の前部に懸吊した荷吊り用ホイスト４７から巻き出し垂下したワイヤロープ８１の先端の吊りフック８２に支持させたガイドロープ用滑車８４にガイドロープ５２を通し、荷揚げ中にガイドロープ５２を地上の作業員Ａが引っ張ると、吊りフック８２とともに荷揚げ資材１４がガイドロープ５２寄りに引っ張られる。荷の揚程が高い場合に、荷揚げ資材１４が地上近くにあるときは、作業員Ａが荷吊り用ホイスト４７の直下より前方に移動することで、ガイドロープ５２を強く引っ張らなくても容易に荷揚げ資材１４の振れ止め制御を行うことができる。また、荷揚げ資材１４が高い位置に上がったときは、ガイドロープ用滑車８４の上側のガイドロープ５２が吊りフック８２を前方へ比較的大きな力で引っ張るようになるので、作業員Ａがガイドロープ５２を強く引っ張らなくても吊り荷の振れが抑制される。
また、荷揚げ資材１４の吊り上げ後、地上の作業員Ａがガイドロープ５２を緩めることで、仮設足場３０の作業員Ｂがブラケット４３を旋回させて吊り荷を仮設足場３０に近づけることができ、足場内への引き込み作業が容易となる。
【００１８】
なお、上記した第１実施例では、ブラケットの前部にＵ字状の荷吊り用ホイスト取り付け金具を設けて、荷吊り用ホイストを懸吊可能としたが、Ｕ字状の荷吊り用滑車取り付け金具に置き換え、仮設足場等に設置したウインチから巻き出された吊りフック付のワイヤロープを荷吊り用滑車取り付け金具に懸吊した荷吊り用滑車に巻装し、下方へ垂下するようにしても良い。或いは、Ｕ字状の荷吊り用ホイスト取り付け金具を荷吊り用シーブに置き換え、仮設足場等に設置したウインチから巻き出された吊りフック付のワイヤロープを荷吊り用シーブに巻装したのち、下方へ垂下するようにしても良い。
【００１９】
また、ブラケットに装着した前方延設部の前端部に、Ｕ字状のガイドロープ取り付け金具を設けて、ガイドロープを懸吊可能としたが、図７の簡易クレーン４０Ａに示す如く、ガイドロープ取り付け金具をＵ字状のガイドロープ用ホイスト取り付け金具５１Ａに置き換え、このガイドロープ用ホイスト取り付け金具５１Ａにガイドロープ用ホイスト１００を懸吊し、ガイドロープ用ホイスト１００からガイドロープ１０１を巻き出させて地上近くまで垂らし、下端を地上に設置した重量物１０２に固定するようにしても良い。重量物１０２は簡易クレーン４０Ａを前向きにしたときのガイドロープ用ホイスト１００の直下より少し前方にすると良い。荷の吊り上げ中は、ガイドロープ用ホイスト１００を少し巻き上げてガイドロープ１０１を張った状態としておくことにより、ガイドロープ１０１が通されたガイドロープ用滑車８４を介して吊りフック８２をガイドロープ１０１寄りに引っ張ることができる。吊り上げ後は、ガイドロープ用ホイスト１００を少し巻き出して、ガイドロープ１０１を緩めることで容易に吊り荷を仮設足場３０の中に引き込むことができる。
【実施例２】
【００２０】
次に、図８乃至図１１を参照して本発明の第２実施例を説明する。
図８は本発明に係る簡易クレーンの使用状態を示す斜視図、図９は簡易クレーンの組み立て図、図１０は図５はガイドロープの作用説明図、図１１は簡易クレーンの使用方法の説明図である。
図８乃至図１１において、３０はビティ仮設足場、３１はビティ仮設足場３０の最上部の建枠部材（ビティ仮設足場の構造物）、４０Ｂは建枠部材３１の前側の縦枠３１Ａの上部に設置された簡易クレーン、１４は簡易クレーン４０Ｂにより地上からビティ仮設足場３０の最上部の一段下のステージに荷揚げされる荷揚げ資材（足場部材) である。
【００２１】
簡易クレーン４０Ｂの内、４１は基部部材としての角パイプ材からなる基部支柱であり、３つの締結金具（クランプ）４２により建枠部材３１の縦枠３１Ａの上部に鉛直向き、かつ着脱自在に締結されている。締結金具４２は基部支柱４１に予め固着していてもよく、或いは、現場で基部支柱４１に着脱自在に装着しても良い。４３は三角枠形のブラケットであり、基部支柱４１に対して、上下３箇所の支軸４４により水平面内で前方を基準にして左右に各々９０乃至１２０度ずつ旋回可能に装着されている。ブラケット４３の上枠４５の前端には荷吊り用ホイスト取り付け部としてのＵ字状の荷吊り用ホイスト取り付け金具４６が固着されおり、この荷吊り用ホイスト取り付け金具４６に荷吊り用ホイスト４７が掛脱自在に懸吊されている。
【００２２】
図９に示す如く、ブラケット４３の上枠４５には前方に延設された前方延設部４８Ｂが着脱自在に装着されている。第２実施例の前方延設部４８Ｂは、角パイプ材を溶接することにより略７字形に形成されており、前端部がブラケット４３の上枠４５の前端から更に前方に突出しており、後端部が上枠４５の後端から上方へ逆Ｌ字状に立ち上がっている。前方延設部４８Ｂの前後３個所の両側に３組の固定金具６０と６０、６１と６１、６２と６２の上端部がボルト止めされており、固定金具６０と６０、６１と６１、６２と６２の下端部間が上枠４５を跨いでボルト止めされている。前方延設部４８Ｂの前端には左右一対の支持金具６３と６３を介して前側ガイドロープ用シーブ６４が装着されている。また、前方延設部４８Ｂの後端部の立ち上がり部６５の上部前端には、後側ガイドロープ用滑車取り付け部としてのＵ字状の後側ガイドロープ用滑車取り付け金具６６が固着されており、この後側ガイドロープ取り付け金具６６に後側ガイドロープ用滑車６７を掛脱自在に懸吊可能になっている。
【００２３】
図８と図１１は上記した簡易クレーンによる資材荷揚げ方法の説明図、図１０はガイドロープの作用説明図であり、以下、これらの図を参照して上記した第２実施例の作用を説明する。
図８に示す如く、予めビティ仮設足場３０の最上部の前側の縦枠３１Ａの上端近くに簡易クレーン４０Ｂがクランプ４１により締結済みであるとする。また、後側ガイドロープ用滑車取り付け金具６６に後側ガイドロープ用滑車６７が懸吊してある。ガイドロープ５２の一端側に設けたフック５３が仮設足場３０に掛け止められており、ガイドロープ５２の他端側が後側ガイドロープ用滑車６７と前側ガイドロープ用シーブ６４に巻装されたのち、地上近くに垂れ下げられているものとする。
簡易クレーン４０Ｂの荷吊り用ホイスト取り付け金具４６には荷吊り用ホイスト４７が懸吊してある。荷吊り用ホイスト４７から巻き出されたワイヤロープ８１の先端に吊りフック８２が取り付けてある。簡易クレーン４０Ｂのブラケット４３は左右に各々９０乃至１２０度の範囲で旋回可能としてある。
【００２４】
地上に玉掛けをする作業員Ａ、ビティ仮設足場３０の最上部より一段下の足場上に荷吊り用ホイスト４７の操作、ガイドロープ５２の操作、荷揚げ資材１４の引き込みを行う作業員Ｂが配置されているものとする。
簡易クレーン４０Ｂが前方向きの状態で、作業員Ｂはリモコン９０を操作し、荷吊り用ホイスト４７を稼働させてワイヤロープ８１を垂下し、吊りフック８２を地上近くまで下げる。作業員Ａはガイドロープ５２をガイドロープ用滑車８４に通して掛装するとともに、ガイドロープ用滑車８４のステー８５を吊りフック８２に掛装して支持させる。また、荷揚げ資材１４に玉掛けワイヤ８３で玉掛けし、吊りフック８２に取り付けたシャックル８６に玉掛けワイヤ８３を取り付ける。そして、ガイドロープ５２の先端に設けたフック５４を重量物１０２Ｂに掛け止めて固定する。重量物１０２Ｂとの固定箇所は、簡易クレーン４０Ｂが前向きのときの前側ガイドロープ用シーブ６４の直下より、少し前方にすると良い。
【００２５】
作業員Ｂがリモコン９０の操作で荷吊り用ホイスト４７を吊りフック上昇側に回転させ、ワイヤロープ８１を巻き上げて荷揚げ資材１４を上昇させる。この際、作業員Ｂはガイドロープ５２の内、後側ガイドロープ用滑車６７とフック５３の間を引っ張り、前側ガイドロープ用シーブ６４と地上との間のガイドロープ５２を張った状態にして荷揚げ資材１４の揺れを制御する。作業員Ｂがガイドロープ５２を引っ張ると、ガイドロープ用滑車８４と吊りフック８２を介して荷揚げ資材１４がガイドロープ５２寄りに引っ張られる。
ここで図１０に示す如く、前側ガイドロープ用シーブ６４をａ’点、ガイドロープ用滑車８４をｂ点、地上近くの固定個所をｃ’点とし、三角形ａ’ｂｃ’の点ｂから辺ａ’ｃ’に下ろした垂線と辺ａ’ｃ’との交点をｄ’とすると、ガイドロープ用滑車８４から下側のガイドロープ５２がガイドロープ用滑８４に加えるｂｄ’方向の力の成分ｆ１’と、ガイドロープ用滑車８４から上側のガイドロープ５２がガイドロープ用滑車８４に加えるｂｄ’方向の力の成分ｆ２’の和が吊り荷に対する凡その振れ止め制御力となる。ガイドロープ５２の重量を無視し作業員Ｂがガイドロープ５２に加える引っ張り力をＦ’、角度ｂｃ’ｄ’をθ１’、角度ｂａ’ｄ’をθ２’とすると、
ｆ１’＝Ｆ’・ｓｉｎθ１’、ｆ２’＝Ｆ’・ｓｉｎθ２’
である。
吊り荷の揚程が高い場合、図１０（１）に示す如く、吊り荷としての足場資材１４が地上近くにあるときは、ガイドロープ５２の下端と重量物１０２Ｂとの固定個所を前寄りとしておくことでθ１’を容易に大きくでき、作業員Ｂがガイドロープ５２を強く引っ張らなくても振れ止め制御が可能である。また、荷揚げ資材１４が高く上がったときは図１０（２）に示す如く、θ２’が比較的大きくなり、ガイドロープ用滑車８４の上側のガイドロープ５２が吊りフック８２を前方へ比較的大きな力で引っ張るようになるので、作業員Ｂがガイドロープ５２を強く引っ張らなくても吊り荷の振れが抑制される。
【００２６】
荷揚げ資材１４がビティ仮設足場３０の最上部の一段下まで上がったところで、作業員Ｂは荷吊り用ホイスト４７を停止し、ガイドロープ５２を緩める。そして、荷揚げ資材１４をブラケット４３とともに旋回させながらビティ仮設足場３０の最上部より一段下に取り込む（図１１参照）。
【００２７】
この第２実施例によっても、ブラケット４３に設けた前方延設部４８Ｂの前端部の前側ガイドロープ用シーブ６４から地上近くまでガイドロープ５２を垂らし、ブラケット４３の前部に懸吊した荷吊り用ホイスト４７から巻き出し垂下したワイヤロープ８１の先端の吊りフック８２に支持させたガイドロープ用滑車８４にガイドロープ５２を通すとともに、ガイドロープ５２の下端を固定物１０２Ｂに固定しておき、荷揚げ中にガイドロープ５２を仮設足場３０の作業員Ｂが引っ張ると、吊りフック８２とともに荷揚げ資材１４がガイドロープ用滑車８４を介してガイドロープ５２寄りに引っ張られる。荷の揚程が高い場合に、荷揚げ資材１４が地上近くにあるときは、予めガイドロープ５２の下端を前寄りに固定しておくことで、作業員Ｂがガイドロープ５２を強く引っ張らなくても容易に荷揚げ資材１４の振れ止め制御を行うことができる。また、荷揚げ資材１４が高い位置に上がったときは、ガイドロープ用滑車８４の上側のガイドロープ５２が吊りフック８２を前方へ比較的大きな力で引っ張るようになるので、作業員Ｂがガイドロープ５２を強く引っ張らなくても吊り荷の振れが抑制される。
また、荷揚げ資材１４の吊り上げ後、作業員Ｂがガイドロープ５２を緩めることで、ブラケット４３を旋回させて吊り荷を仮設足場３０に近づけることができ、足場内への引き込み作業が容易となる。
また、荷揚げ中に地上の作業員Ａはガイドロープ５２を引っ張らなくて済み、他の作業を行うことができる。
【００２８】
なお、上記した第２実施例では、ガイドロープの下端側を地上の重量物に固定し、ガイドロープの上端側を仮設足場の上の作業員が引っ張るようにしたが、ガイドロープの上端側を仮設足場に固定し、下端側を地上の作業員が引っ張るようにしても良い。
また、ブラケットの前部にＵ字状の荷吊り用ホイスト取り付け金具を設けて、荷吊り用ホイストを懸吊可能としたが、Ｕ字状の荷吊り用滑車取り付け金具に置き換え、仮設足場等に設置したウインチから巻き出された吊りフック付のワイヤロープを荷吊り用滑車取り付け金具に懸吊した荷吊り用滑車に巻装し、下方へ垂下するようにしても良い。或いは、Ｕ字状の荷吊り用ホイスト取り付け金具を荷吊り用シーブに置き換え、仮設足場等に設置したウインチから巻き出された吊りフック付のワイヤロープを荷吊り用シーブに巻装したのち、下方へ垂下するようにしても良い。
【００２９】
また、前方延設部の前端部に前側カイドロープ用シーブを装着するようにしたが、ブラケットの上枠に固着される前方延設部を図１２の符号４８Ｃの如く変形し、前方延設部４８Ｃの前端を逆Ｌ字状に立ち上げ、立ち上がり部６８の上部前端に、前側ガイドロープ用滑車取り付け部としてのＵ字状の前側ガイドロープ用滑車取り付け金具６９を固着し、この前側ガイドロープ用滑車取り付け金具６９に前側ガイドロープ用滑車７０を掛脱自在に懸吊可能としても良い。図１２の前方延設部４８Ｃが装着された簡易クレーンを仮設足場に締結後、一端側を仮設足場に止めたガイドロープの他端側を、後側ガイドロープ用滑車取り付け金具６６に取り付けた後側ガイドロープ用滑車６７と前側ガイドロープ用滑車取り付け金具６９に取り付けた前側ガイドロープ用滑車７０に巻き掛けたのち、地上近くまで垂らし、地上の重量物に固定すれば良い。
【００３０】
また、上記した各実施例及びその変形例では、ガイドロープ用滑車を吊りフックに支持させるようにしたが、玉掛けワイヤに支持させたり、荷揚げ資材に支持させるようにしても良い。
【産業上の利用可能性】
【００３１】
本発明は、マンション、ビル等の建築物の新築・改修工事現場等に設置される架設足場の上で使用するクレーンに適用できる。
【符号の説明】
【００３２】
１４  荷揚げ資材
３０  ビティ仮設足場
３１  建枠部材
４０、４０Ａ、４０Ｂ  簡易クレーン
４１  基部支柱
４２  クランプ
４３  ブラケット
４４  支軸
４５  上枠
４６  荷吊り用ホイスト取り付け金具
４７  荷吊り用ホイスト
４８、４８Ｂ、４８Ｃ  前方延設部
５１  ガイドロープ取り付け金具
５１Ａ  ガイドロープ用ホイスト取り付け金具
５２、１０１  ガイドロープ
６４  前側ガイドロープ用シーブ
６６  後側ガイドロープ用滑車取り付け金具
６７  後側ガイドロープ用滑車
６９  前側ガイドロープ用滑車取り付け金具
７０  前側ガイドロープ用滑車
８１  ワイヤロープ
８２  吊りフック
８３  玉掛けワイヤ
８４  ガイドロープ用滑車
１０２、１０２Ｂ  重量物
【図１】
2017226541.tif 000003
【図２】
2017226541.tif 000004
【図３】
2017226541.tif 000005
【図４】
2017226541.tif 000006
【図５】
2017226541.tif 000007
【図６】
2017226541.tif 000008
【図７】
2017226541.tif 000009
【図８】
2017226541.tif 000010
【図９】
2017226541.tif 000011
【図１０】
2017226541.tif 000012
【図１１】
2017226541.tif 000013
【図１２】
2017226541.tif 000014
【手続補正書】
【提出日】平成28年11月4日(2016.11.4)
【手続補正１】
【補正対象書類名】特許請求の範囲
【補正対象項目名】請求項８
【補正方法】変更
【補正の内容】
【請求項８】
前方延設部の前端部に、前側ガイドロープ用シーブに代えて前側ガイドロープ用滑車取り付け部を設け、一端側を仮設足場に止めたガイドロープの他端側を後側ガイドロープ用滑車取り付け部に取り付けた後側ガイドロープ用滑車と前側ガイドロープ用滑車取り付け部に取り付けた後側ガイドロープ用滑車に巻き掛けたのち、地上近くまで垂らすようにしたこと、
を特徴とする請求項５乃至７の内のいずれか一項記載の簡易クレーン。
【手続補正２】
【補正対象書類名】明細書
【補正対象項目名】０００２
【補正方法】変更
【補正の内容】
【０００２】
マンション、ビル等で新築・改修工事現場等では、外壁仕上げ、外壁補修等のための仮設足場の組み上げ、建築物内への資材の搬入のため、仮設足場に簡易クレーンを設置し、地上から仮設足場の上の段に仮設足場の資材、建築物の資材を吊り上げ、足場内に取り込むようにしている。
図１に建築物の改修工事現場で用いられる従来の簡易クレーンの設置例を示す。仮設足場１の上段の建枠部材２の前側の縦枠２Ａに、複数のクランプ３を用いて基部支柱４が着脱自在に締結されており、この基部支柱４に前方へ延設されたブラケット５が装着されている。ブラケット５の前端にはホイスト取り付け部６を介してホイスト７が懸吊されている。ホイスト７から巻き出されたワイヤロープ８の下端に装着された吊りフック９には玉掛けワイヤ１０と介錯ロープ１１が掛装されている。地上の作業員Ａはリモコン１２によりホイスト７からワイヤロープ８を巻き出させて玉掛けワイヤ１０を地上近くに下ろし、吊り荷としての足場資材１４に玉掛けする。そして、リモコン１２によりホイスト７を稼働しワイヤロープ８を巻き取らせ、地上から仮設足場１の上の段のステージの高さに荷揚げし、ホイスト７を止める。仮設足場１の上の段のステージの作業員Ｂは荷揚げされた足場資材１４を足場内に取り込む。荷揚げ中、地上の作業員Ａは介錯ロープ１１を操作して吊り荷の振れを抑える。
【手続補正３】
【補正対象書類名】明細書
【補正対象項目名】００１２
【補正方法】変更
【補正の内容】
【００１２】
図３と図６は上記した簡易クレーンによる資材荷揚げ方法の説明図、図５はガイドロープの作用説明図であり、以下、これらの図を参照して上記した実施例の作用を説明する。
図３に示す如く、予めビティ仮設足場３０の最上部の前側の縦枠３１Ａの上端近くに簡易クレーン４０が締結金具４２により締結済みであるとする。ガイドロープ取り付け金具５１にはフック５３が懸吊してあり、このフック５３に一端が取り付けられたガイドロープ５２の他端側が地上まで垂れ下げられている。荷吊り用ホイスト取り付け金具４６には荷吊り用ホイスト４７が懸吊してある。荷吊り用ホイスト４７から巻き出されたワイヤロープ８１の先端に吊りフック８２が取り付けてある。簡易クレーン４０のブラケット４３は左右に各々９０乃至１２０度の範囲で旋回可能としてある。
【手続補正４】
【補正対象書類名】明細書
【補正対象項目名】００２０
【補正方法】変更
【補正の内容】
【００２０】
次に、図８乃至図１１を参照して本発明の第２実施例を説明する。
図８は本発明に係る簡易クレーンの使用状態を示す斜視図、図９は簡易クレーンの組み立て図、図１０はガイドロープの作用説明図、図１１は簡易クレーンの使用方法の説明図である。
図８乃至図１１において、３０はビティ仮設足場、３１はビティ仮設足場３０の最上部の建枠部材（ビティ仮設足場の構造物）、４０Ｂは建枠部材３１の前側の縦枠３１Ａの上部に設置された簡易クレーン、１４は簡易クレーン４０Ｂにより地上からビティ仮設足場３０の最上部の一段下のステージに荷揚げされる荷揚げ資材（足場部材) である。
【手続補正５】
【補正対象書類名】明細書
【補正対象項目名】００２３
【補正方法】変更
【補正の内容】
【００２３】
図８と図１１は上記した簡易クレーンによる資材荷揚げ方法の説明図、図１０はガイドロープの作用説明図であり、以下、これらの図を参照して上記した第２実施例の作用を説明する。
図８に示す如く、予めビティ仮設足場３０の最上部の前側の縦枠３１Ａの上端近くに簡易クレーン４０Ｂが締結金具４２により締結済みであるとする。また、後側ガイドロープ用滑車取り付け金具６６に後側ガイドロープ用滑車６７が懸吊してある。ガイドロープ５２の一端側に設けたフック５３が仮設足場３０に掛け止められており、ガイドロープ５２の他端側が後側ガイドロープ用滑車６７と前側ガイドロープ用シーブ６４に巻装されたのち、地上近くに垂れ下げられているものとする。
簡易クレーン４０Ｂの荷吊り用ホイスト取り付け金具４６には荷吊り用ホイスト４７が懸吊してある。荷吊り用ホイスト４７から巻き出されたワイヤロープ８１の先端に吊りフック８２が取り付けてある。簡易クレーン４０Ｂのブラケット４３は左右に各々９０乃至１２０度の範囲で旋回可能としてある。